(57)【要約】【課題】表示部に穴をあけた液晶表示装置において、各配線の寄生容量の均一化を図る。【解決手段】穴１０近辺の遮光層１１下において、終端された走査線４および補助容量線５の幅を表示領域２における走査線４および補助容量線５の幅よりも広くする。これにより、遮光層１１下において各配線により形成される容量が表示領域２において各配線により形成される容量よりも大きくなるので、各配線の寄生容量の均一化を図ることができ、表示ムラの発生が抑制される。【選択図】図２
2010164765.tif 000002
【特許請求の範囲】
【請求項１】
マトリクス状に配置された信号線と、この信号線と直交する方向で分割された走査線と、を有する表示領域を備えたアレイ基板と、
前記アレイ基板と対向する対向基板と、
前記表示領域中に設けられ前記両基板の一方の面から他方の面まで貫通して設けられた穴と、
前記穴の周囲および前記両基板の周辺部分をシールし、このシールされた空間部分に充填された液晶層と、
前記穴の周囲に配置された遮光部と、を有し、
前記遮光部下において、前記信号線が前記穴を迂回して配置され、前記走査線が前記穴を境として終端されており、且つ少なくとも前記信号線と前記走査線が形成する配線容量が、前記表示領域において前記信号線と前記走査線が形成する配線容量よりも大きいことを特徴とする液晶表示装置。
【請求項２】
前記遮光部下における前記走査線の線幅が前記表示領域における前記走査線の線幅よりも広くなっていることを特徴とする請求項１記載の液晶表示装置。
【請求項３】
前記走査線に平行してさらに補助容量線が配線され、この補助容量線の前記遮光部下の終端形状が前記走査線と同様に形成されていることを特徴とする請求項１又は２記載の液晶表示装置。
【請求項４】
前記表示領域の外周の形状が非矩形状に形成されていることを特徴とする請求項１乃至３のいずれか１つに記載の液晶表示装置。
【発明の詳細な説明】
【技術分野】
【０００１】
本発明は、表示領域に穴を備えた液晶表示装置に関する。
【背景技術】
【０００２】
液晶表示装置は、表示部の薄型化が可能であり、事務機器やコンピュータの表示装置の他にも、車載メータへの用途として要求が高まっている。一般に、車載メータは円形の表示部である。省スペースの観点から、表示部に沿った矩形でない液晶の要求がある。また、ＳＴＮでなくＴＦＴ−ＬＣＤを用いてフルカラー表示可能な円形フルカラー液晶表示装置の開発が行われている。さらに、スピードメータなど針を具備する車載メータにフルカラーの液晶表示装置を用いたいという強い要望がある。例えば、指針を配置するための貫通孔を備えた液晶表示装置として特許文献１に記載のものが知られている。
【先行技術文献】
【特許文献】
【０００３】
【特許文献１】特開２００３−１６７２７１号公報
【発明の概要】
【発明が解決しようとする課題】
【０００４】
しかしながら、液晶パネルに針を配置するための穴を開けると、穴を開けた部分に掛かる配線の長さ・環境が異なるため、液晶駆動に重要な寄生容量の均一化ができなくなり、表示ムラが発生するという問題があった。特許文献１では、ゲート電極線とソース電極線とを貫通孔を迂回させて配置するとともに、迂回した部分において、ゲート電極線の間にソース電極線を配置することで液晶表示装置全体の寄生容量を均一化している。
【０００５】
本発明は、上記に鑑みてなされたものであり、その課題とするところは、表示部に穴をあけた液晶表示装置において、液晶駆動に重要な寄生容量の均一化を簡単な構成で図ることを可能とし、表示ムラの発生を抑えた液晶表示装置を提供することにある。
【課題を解決するための手段】
【０００６】
本発明に係る液晶表示装置は、マトリクス状に配置された信号線と、この信号線と直交する方向で分割された走査線と、を有する表示領域を備えたアレイ基板と、アレイ基板と対向する対向基板と、表示領域中に設けられ両基板の一方の面から他方の面まで貫通して設けられた穴と、穴の周囲および両基板の周辺部分をシールし、このシールされた空間部分に充填された液晶層と、穴の周囲に配置された遮光部と、を有し、遮光部下において、信号線が穴を迂回して配置され、走査線が穴を境として終端されており、且つ少なくとも信号線と走査線が形成する配線容量が、表示領域において信号線と走査線が形成する配線容量よりも大きいことを特徴とする。
【０００７】
上記液晶表示装置において、遮光部下における走査線の線幅が表示領域における走査線の線幅よりも広くなっていることを特徴とする。
【０００８】
また、上記液晶表示装置において、走査線に平行してさらに補助容量線が配線され、この補助容量線の遮光部下の終端形状が走査線と同様に形成されていることを特徴とする。
【０００９】
上記液晶表示装置において、表示領域の外周の形状が非矩形状として形成されていることを特徴とする。
【発明の効果】
【００１０】
本発明にあっては、表示領域に設けられた穴の周囲に配置された遮光部において、信号線を穴を迂回して配置するとともに、この信号線と略直交するように穴の両側に配置される走査線、または走査線と補助容量線を穴の両側端で終端し、遮光部下における各配線の容量を表示領域における各配線の容量よりも大きくすることにより、各配線の容量の均一化を図ることができ、表示ムラの発生を抑えることができる。
【００１１】
本発明にあっては、遮光部下における走査線、または走査線と補助容量線の線幅を表示領域における線幅よりも広くすることにより、遮光部下における各配線の容量を表示領域よりも大きくすることができる。
【００１２】
このように、本発明によれば、表示領域に穴をあけた液晶表示装置において、液晶駆動に重要な寄生容量の均一化を簡単な構成で図り、表示ムラの発生を抑えた液晶表示装置を提供することができる。
【図面の簡単な説明】
【００１３】
【図１】一実施の形態における液晶表示装置の概略的な平面図である。
【図２】表示領域に設けられた穴の近辺を拡大した概略的な平面図である。
【発明を実施するための形態】
【００１４】
以下、本発明の実施の形態について図面を用いて説明する。
【００１５】
図１は、本実施の形態における液晶表示装置の概略的な平面図である。同図に示す液晶表示装置１は、アレイ基板２１と対向基板２２との間に液晶層を挟持する。液晶表示装置１は、中央付近に穴１０が形成された円形の表示領域２を有する。穴１０は、液晶表示装置１のアレイ基板２１と対向基板２２とを貫通している。この穴１０および表示領域２の周辺には、アレイ基板２１と対向基板２２間をシールするシール材（図示せず）が介在され、このシール材によって形成された空間内に液晶層（図示せず）が充填されている。
【００１６】
アレイ基板２１の表示領域２では、複数の信号線３、走査線４がマトリクス状に配置され、信号線３と走査線４の交差部にスイッチング素子、画素電極（共に図示せず）を配置して画素を構成する。補助容量線５（図１では図示せず）が走査線４に並行に配置される。対向基板２２には対向電極、カラーフィルタが配置され、穴１０の周囲および表示領域２の外周には遮光層１１，１２が配置される。
【００１７】
液晶表示装置１は表示領域２の外側に矩形部６を備える。この矩形部６は両基板２１，２２に形成し、この矩形部６までシール材を延長して矩形部６空間部分にも液晶層を形成するように構成すれば、製造工程を簡略化することが可能となる。しかしながら、この矩形部６はアレイ基板２１側にだけ設けて表示領域２よりも外方に突出するように構成してもよい。矩形部６には信号線制御回路などの各種回路、あるいはこれら回路を接続するための接続配線が配置される。液晶表示装置１の図１における左右の遮光層１２下には走査線駆動用の配線が設けられ、矩形部６の接続配線を介して左側および右側走査線駆動回路にて駆動される。走査線駆動回路は表示領域２の両側から走査線４を分割駆動する。一方、信号線制御回路は映像信号を同様に遮光層１２下に設けられた配線および矩形部６の接続配線を介して信号線３に供給する。走査線４が駆動されると、スイッチング素子がオンして映像信号が画素電極に書き込まれる。画素電極と対向電極の間に生じた電位差により液晶層内の透過率が設定される。液晶層の透過率を設定することにより液晶層を通過する光を制御し、対向基板２２に配置されたカラーフィルタにより着色されて、フルカラー画像が表示される。
【００１８】
表示領域２に穴１０を設けると、信号線３、走査線４および補助容量線５は、その穴１０を避けて配置しなければならない。本液晶表示装置１では、信号線３は穴１０を迂回して配置し、走査線４、補助容量線５は、穴１０の近辺で終端して配置した。このために走査線駆動は左右分割駆動方式を採用している。走査線４、補助容量線５が穴１０により途切れることにより、各配線の寄生容量が均一でなくなり、表示ムラが発生してしまうが、本液晶表示装置１では、穴１０周囲の遮光層１１下における配線容量を表示領域２よりも大きくすることにより、この穴１０によって欠落する不足配線容量分を救済し、各配線のトータルの寄生容量の均一化を図った。以下、遮光層１１下における信号線３、走査線４および補助容量線５について説明する。
【００１９】
図２は、表示領域２の中央付近に設けられた穴１０の近辺を拡大した概略的な平面図である。
【００２０】
同図に示すように、穴１０の周辺の遮光層１１で覆われる場所では、信号線３は、穴１０を避けるように迂回して配置される。走査線４、補助容量線５は、穴１０に突き当たる箇所で終端される。穴１０によって左右に分断される走査線４、補助容量線５は、図中の符号４１，５１で示すように、遮光層１１下における線幅が表示領域２における走査線４、補助容量線５の線幅よりも広くなっている。これにより、遮光層１１下において信号線３と走査線４、信号線３と補助容量線５で形成される容量は、表示領域２において信号線３と走査線４、信号線３と補助容量線５で形成される容量よりも大きくなり、この増加した容量分を穴１０によって消失される不足容量分を補填するように、その容量値を各配線毎に設定すれば、各配線の寄生容量の均一化を図ることができ、表示ムラの発生が抑制される。この容量値の調整は、各線幅を変更したり形状を変更したり、あるいは相対的な配置位置を変更すること等の手段によって容易に調整することが可能である。
【００２１】
したがって、本実施の形態によれば、穴１０近辺の遮光層１１下において、終端された走査線４および補助容量線５の線幅を表示領域２における走査線４および補助容量線５の線幅よりも相対的に広くする、換言すれば、信号線３と走査線４および補助容量線５との対向面積を遮光層１１下において大きくすることにより、遮光層１１下において各配線３，４，５により形成される配線容量が表示領域２において各配線３，４，５により形成される配線容量よりも大きくなるので、表示領域２に穴１０が穿設されている場合でも、各配線３，４，５の寄生容量の均一化を簡単な構成で図ることができ、表示ムラの発生が抑制される。
【００２２】
なお、従来必要とされていた容量調整機構を、この遮光層１１下の配線容量によって兼用させることも可能となり、この場合には周辺遮光層１２下に容量調整機構を別途設ける必要がなくなるので、狭い額縁の液晶表示装置を提供することができる。
【００２３】
また、上記実施の形態においては、表示領域２の外形形状が略円形状の場合について説明しているが、表示領域２の外形形状が非円形状であって、その表示領域の中に穴が穿設された表示形態の場合でも、本発明に係る寄生容量の均一化のための手段は、同様に実施することが可能である。
【００２４】
さらに、フルカラー表示だけでなく、単色表示対応の液晶表示装置への展開も可能で、また、補助容量線を必要としない場合には、この補助容量線を省略することも可能である。
【符号の説明】
【００２５】
１…液晶表示装置
２…表示領域
３…信号線
４…走査線
５…補助容量線
６…矩形部
１０…穴
１１，１２…遮光層
２１…アレイ基板
２２…対向基板
【図１】
2010164765.tif 000003
【図２】
2010164765.tif 000004